(57)【要約】【課題】最初に検出した同期信号とともにＳＹＮＣ検出フラグを発生し、このフラグにその後、実際に検出される同期信号とを関連付けて、非同期状態を判定するための条件に対して可変性を持たせる。【解決手段】記録トラックから再生したウォブル信号が入力され、前記ウォブル信号から同期信号を検出する同期検出回路２１と、前記同期検出回路２１が前記同期信号を検出したとき、第１のレベルの同期検出フラグを発生する同期検出フラグ発生部２４５と、前記第１レベルの同期検出フラグが出力され持続している期間であって、前記同期信号の未検出回数が所定の条件であるときは、前記同期検出フラグを第２レベルにリセットするカウンタ及び論理判定部２４１−２４４と、前記同期検出フラグが第１のレベルのときに物理アドレスを検出するようにしている。【選択図】      図１０
2007149255.tif 000002
【特許請求の範囲】
【請求項１】
情報記録媒体の記録トラックをウォブル変調して盛り込まれた情報のフォーマットが、前記記録トラックを区分する物理セグメント、前記物理セグメントの先頭に含まれる同期信号用のウォブルデータユニット、前記物理セグメント後半に含まれる無変調部用のウォブルデータユニット、前記物理セグメントの中間領域に含まれる物理アドレス用のウォブルデータユニットを少なくとも有したフォーマットであり、
前記記録トラックから再生したウォブル信号が入力され、前記ウォブル信号から前記同期信号を検出する同期検出回路と、
前記同期検出回路が前記同期信号を検出したとき、第１のレベルの同期検出フラグを発生する同期検出フラグ発生部と、
前記第１レベルの同期検出フラグが出力され持続している期間であって、前記同期信号の未検出回数が所定の条件であるときは、前記同期検出フラグを第２レベルにリセットするカウンタ及び論理判定部と、
を有することを特徴とする同期判定装置。
【請求項２】
前記カウンタ及び論理判定部は、
前記同期信号が検出されたことをカウントする検出カウンタ、前記同期信号が検出されなかったことをカウントする未検出カウンタを含み、
最初の同期検出タイミングで前記検出カウンタが１、前記未検出カウンタが０、次の同期検出タイミングで、前記検出カウンタが１、前記未検出カウンタが０のとき、前記同期検出フラグをリセットする
ことを特徴とする請求項１記載の同期判定装置。
【請求項３】
前記カウンタ及び論理判定部は、
前記同期信号が検出されたことをカウントする検出カウンタ、前記同期信号が検出されなかったことをカウントする未検出カウンタを含み、前記検出カウンタが所定数ａ（ａは整数）カウントした場合、前記未検出カウンタが所定数ｂ（ｂは整数）となったときに、前記同期検出フラグをリセットする
ことを特徴とする請求項１記載の同期判定装置。
【請求項４】
前記カウンタ及び論理判定部は、
前記同期信号が検出されたことをカウントする検出カウンタ、前記同期信号が検出されなかったことをカウントする未検出カウンタ、さらに、前記同期信号の連続検出をカウントする連続検出カウンタ、及び前記同期信号の連続未検出をカウントする連続未検出カウンタ、前記同期信号が検出されたときにセットされる同期検出フラグをカウントする同期検出フラグカウンタを含み、
前記同期検出フラグカウンタが所定値ｄ（ｄは整数）以上となっているときは、前記未検出カウンタが所定値ｂ（ｂは整数）となっても、前記同期検出フラグ状態を維持し、前記同期信号の連続未検出カウンタのカウント数が所定値ｃ（ｃは整数）となったときに、前記同期検出フラグをリセットする
ことを特徴とする請求項１記載の同期判定装置。
【請求項５】
前記カウンタ及び論理判定部は、
前記同期信号が検出されたことをカウントする検出カウンタ、前記同期信号が検出されなかったことをカウントする未検出カウンタ、さらに、前記同期信号の連続検出をカウントする連続検出カウンタ、及び前記同期信号の連続未検出をカウントする連続未検出カウンタと、前記同期信号が検出されたときにセットされる同期検出フラグをカウントする同期検出フラグカウンタを含み、
前記同期検出フラグカウンタが所定値ｄ（ｄは整数）以上となっているときは、前記未検出カウンタが所定値ｂ（ｂは整数）となっても、前記同期検出フラグ状態を維持し、前記同期信号の連続未検出カウンタのカウント数が所定値ｃ（ｃは整数）となり、かつ前記未検出カウンタのカウント数が所定値ｂ（ｂは整数）となり、両方を同時に満たしたときに、前記同期検出フラグをリセットする
ことを特徴とする請求項１記載の同期判定装置。
【請求項６】
情報記録媒体の記録トラックをウォブル変調して盛り込まれた情報のフォーマットが、前記記録トラックを区分する物理セグメント、前記物理セグメントの先頭に含まれる同期信号用のウォブルデータユニット、前記物理セグメント後半に含まれる無変調部用のウォブルデータユニット、前記物理セグメントの中間領域に含まれる物理アドレス用のウォブルデータユニットを少なくとも有したフォーマットであり、
前記記録トラックから再生したウォブル信号が入力され、前記ウォブル信号から前記同期信号を検出する同期検出回路と、
前記同期検出回路が前記同期信号を検出したとき、第１のレベルの同期検出フラグを発生する同期検出フラグ発生部と、
前記第１レベルの同期検出フラグが出力され持続している期間であって、前記同期信号の未検出回数が所定の条件であるときは、前記同期検出フラグを第２レベルにリセットするカウンタ及び論理判定部と、
前記第１レベルの同期検出フラグが入力されているときに前記物理アドレスの抽出を行う物理アドレス抽出部を有する
ことを特徴とする物理アドレス検出装置。
【請求項７】
情報記録媒体の記録トラックをウォブル変調して盛り込まれた情報のフォーマットが、前記記録トラックを区分する物理セグメント、前記物理セグメントの先頭に含まれる同期信号用のウォブルデータユニット、前記物理セグメント後半に含まれる無変調部用のウォブルデータユニット、前記物理セグメントの中間領域に含まれる物理アドレス用のウォブルデータユニットを少なくとも有したフォーマットであり、
同期検出回路により、前記記録トラックから再生したウォブル信号が入力され、前記ウォブル信号から前記同期信号を検出し、
同期検出フラグ発生部により、前記検出された同期信号に応答して第１のレベルの同期検出フラグを発生し、
カウンタ及び論理判定部により、前記第１レベルの同期検出フラグが出力され持続している期間であって、前記同期信号の未検出回数が所定の条件であるときは、前記同期検出フラグを第２レベルにリセットし、
物理アドレス抽出部により、前記第１レベルの同期検出フラグが入力されているときに前記物理アドレスの抽出を行う
ことを特徴とする物理アドレス検出方法。
【請求項８】
前記カウンタ及び論理判定部は、さらに前記同期信号が検出されたことをカウントする検出カウンタ、前記同期信号が検出されなかったことをカウントする未検出カウンタを含み、
最初の同期検出タイミングで前記検出カウンタが１、前記未検出カウンタが０、次の同期検出タイミングで、前記検出カウンタが１、前記未検出カウンタが０のとき、前記同期検出フラグをリセットする
ことを特徴とする請求項７記載の物理アドレス検出方法。
【請求項９】
前記カウンタ及び論理判定部は、さらに前記同期信号が検出されたことをカウントする検出カウンタ、前記同期信号が検出されなかったことをカウントする未検出カウンタ、前記同期信号が検出されたときにセットされる同期検出フラグをカウントする同期検出フラグカウンタを含み、
前記検出カウンタが所定数ａ（ａは整数）カウントした場合、前記未検出カウンタが所定数ｂ（ｂは整数）となったときに、前記同期検出フラグをリセットする
ことを特徴とする請求項７記載の物理アドレス検出方法。
【請求項１０】
前記カウンタ及び論理判定部は、さらに前記同期信号が検出されたことをカウントする検出カウンタ、前記同期信号が検出されなかったことをカウントする未検出カウンタ、さらに、前記同期信号の連続検出をカウントする連続検出カウンタ、及び前記同期信号の連続未検出をカウントする連続未検出カウンタ、前記同期信号が検出されたときにセットされる同期検出フラグをカウントする同期検出フラグカウンタを含み、
前記同期検出フラグカウンタが所定値ｄ（ｄは整数）以上となっているときは、
前記未検出カウンタが所定値ｂ（ｂは整数）となっても、前記同期検出フラグ状態を維持し、前記同期信号の連続未検出カウンタのカウント数が所定値ｃ（ｃは整数）となったときに、前記同期検出フラグをリセットする
ことを特徴とする請求項７記載の物理アドレス検出方法。
【請求項１１】
前記カウンタ及び論理判定部（２４１−２４４）は、さらに前記同期信号が検出されたことをカウントする検出カウンタ、前記同期信号が検出されなかったことをカウントする未検出カウンタ、さらに、前記同期信号の連続検出をカウントする連続検出カウンタ、及び前記同期信号の連続未検出をカウントする連続未検出カウンタ、前記同期信号が検出されたときにセットされる同期検出フラグをカウントする同期検出フラグカウンタを含み、
前記同期検出フラグカウンタが所定値ｄ（ｄは整数）以上となっているときは、前記未検出カウンタが所定値ｂ（ｂは整数）となっても、前記同期検出フラグ状態を維持し、前記同期信号の連続未検出カウンタのカウント数が所定値ｃ（ｃは整数）となり、かつ前記未検出カウンタのカウント数が所定値ｂ（ｂは整数）となり、両方を同時に満たしたときに、前記同期検出フラグをリセットする
ことを特徴とする請求項７記載の物理アドレス検出方法。
【発明の詳細な説明】
【技術分野】
【０００１】
この発明は、同期判定装置、物理アドレス検出装置及び方法に関するものであり、例えば光ディスク装置に用いられて有効な発明である。
【背景技術】
【０００２】
最近、デジタル記録媒体として、ＤＶＤ（Digital Versatile Disc)が広く普及している。追記型のＤＶＤにおいては、記録トラック上に物理アドレスを記録する方法として、ウォブル変調方式を採用している。つまり、記録トラックを形成する溝（グルーブ）を蛇行させて、そのウォブルの位相を反転、非反転することでアドレス情報等を記録している。
【０００３】
次世代ＤＶＤ規格においては、物理アドレスのフォーマットが規定されており、記録／再生装置は、このフォーマットの特徴を利用して、物理アドレスを認識している。物理アドレスを認識するためには、まず同期信号を検出し、この同期信号を基準にして各種のデータを把握する必要がある。このために同期信号の検出動作は、重要な位置づけとなり、同期信号の正確な検出が要望されている。
【０００４】
同期信号を検出する技術を開示した文献として特許文献１（例えば特開２００４−２７３０５４；対応外国出願ＵＳ  ２００４／０１７９４４５  Ａ１）、特許文献２（例えば特開２００５−１９０５６１；対応外国出願ＵＳ  ２００５／０１４１３７４  Ａ１）がある。特許文献１は，偶数番目の同期パターンが奇数番目の同期パターン検出窓から検出されたとき、同期ロックフラグをアンロックとする。そして１６セクタ間、同期ロックフラグがロック状態を続けたとき、検出周期カウンタと記録周期カウンタを同期化させる技術である。また特許文献２は、一定周期で現れるアドレス情報の位相エッジと、一定周期のタイミング出力される同期検出信号とが、同期しているときは、有効な同期検出信号として採用する技術である。
【特許文献１】特開２００４−２７３０５４
【特許文献１】特開２００５−１９０５６１
【発明の開示】
【発明が解決しようとする課題】
【０００５】
同期検出回路においては、最初に正確に同期信号を検出したとしても、次の周期の同期信号が連続して正確に検出できるとは限らない場合がある。このとき、通常は同期信号が周期的に得られることを利用してフライホイールカウンタでクロックをカウントし、次に同期信号が得られると思われるタイミングで、擬似的な同期信号を出力することが行われる。しかし、擬似的な同期信号が無限に続くわけではなく、擬似的な同期信号が予め決めた時間発生し続けられた場合は、非同期状態として判断する。
【０００６】
しかし従来の方法であると、擬似的な同期信号を使用する期間が一義的に決まる。このために、非同期判定が早すぎる場合がある（又は、同期状態として判定し続ける期間が短すぎる）し、又は、非同期判定が遅すぎる（同期状態として判定し続ける期間が長すぎる）というような場合もある。
【０００７】
そこでこの発明は、最初に検出したときの同期信号とともに発生するＳＹＮＣ検出フラグと、その後、実際に検出される同期信号とを関連付けて、非同期状態を判定するための条件に対して可変性を持たせることで、同期状態判定を安定化させることができる同期判定装置、物理アドレス検出装置及び方法を提供することを目的とする。
【０００８】
また上記のＳＹＮＣ検出フラグを物理アドレス抽出のためのイネーブルとして利用し、物理アドレスを正確に抽出できるようにした物理アドレス検出装置及び方法を提供することを目的とする。
【課題を解決するための手段】
【０００９】
この発明の一実施の形態では、情報記録媒体の記録トラックをウォブル変調して盛り込まれた情報のフォーマットが、前記記録トラックを区分する物理セグメント、前記物理セグメントの先頭に含まれる同期信号用のウォブルデータユニット（ＷＤＵ）、前記物理セグメント後半に含まれる無変調部用のウォブルデータユニット（ＷＤＵ）、前記物理セグメントの中間領域に含まれる物理アドレス用のウォブルデータユニット（ＷＤＵ）を少なくとも有したフォーマットであり、前記記録トラックから再生したウォブル信号が入力され、前記ウォブル信号から前記同期信号を検出する同期検出回路と、前記同期検出回路が前記同期信号を検出したとき、第１のレベルの同期検出フラグを発生する同期検出フラグ発生部と、前記第１レベルの同期検出フラグが出力され持続している期間であって、前記同期信号の未検出回数が所定の条件であるときは、前記同期検出フラグを第２レベルにリセットするカウンタ及び論理判定部とを有する。
【発明の効果】
【００１０】
上記の手段により、最初に検出したときの同期信号とともに発生するＳＹＮＣ検出フラグと、その後、実際に検出される同期信号とを関連付けて、非同期状態を判定するための条件に対して可変性を持たせることで、同期状態判定を安定化させることができる。
【発明を実施するための最良の形態】
【００１１】
以下、図面を参照してこの発明の実施の形態を説明する。図１はこの発明が適用された光ディスク装置の全体的な構成を概略的に示す図である。光ディスク装置には、光ディスク１００を回転駆動する駆動部２、光ディスク１００に記録されている情報を読み出す、又は、光ディスク１００に情報を書き込む光ヘッド装置３が設けられている。またＲＦ増幅器４が設けられている。このＲＦ増幅器４は、光ディスク１００の記録トラックの物理アドレスを含むウォブル信号Ｗｄを生成して、物理アドレス検出装置５に供給し、また光ディスク１００に記録されているユーザデータを含むＲＦ信号をデータ読み取り・書き込み処理部６に供給する。データ読み取り・書き込み処理部６は、光ディスク１００に書き込む信号を光ヘッド装置３のレーザ駆動回路（図示せず）に供給することができる。データ読み取り・書き込み処理部６の出力信号は、信号処理部７に入力されてデコードされる。光ディスク１００に信号が書き込まれるときは、信号処理部７でフォーマット化された信号が、データ読み取り・書き込み処理部６に供給される。
【００１２】
システム制御部８は、各ブロックを制御する。サーボコントローラ９は、ＲＦ紫信号から光ヘッド装置３のフォーカスエラー、トラッキングエラーを検出し、光ヘッド装置３が正確に記録トラックにフォーカスオン、トラックオンするようにアクチュエータを制御する。またキャリッジ１０を制御して、光ヘッド装置３のラジアル位置を制御する。また、駆動部２を制御して、ディスク回転を安定化させている。
【００１３】
図２は、光ディスク１００のアドレッシング方法として、記録トラックに対してウォブル変調を施した状態である。そしてこの図ではウォブル信号、ビット変調状態の関係を示している。蛇行した記録トラックＴ上を光ヘッド装置３の出力ビームがトレースする。これにより記録トラックＴからデジタルデータが再生される（または、デジタルデータが記録される）。このとき記録されたデータは指定された位置に記録されており、その位置を決定した物理アドレス情報は、記録トラックＴのウォブル信号Ｗｂを読み出して復調することで得られる。
【００１４】
トラック上の読取りビームと検出されたウォブル信号Ｗｂ、ウォブル変調で情報を埋め込む場合の変調規則は、次の通りである。ウォブル信号のサイン波（ＮＰＷ）をビット変調データ“０”とし、反転したサイン波（ＩＰＷ）をビット変調データ“１”として利用する。
【００１５】
図３は、ＨＤ  ＤＶＤ−Ｒの物理アドレスフォーマットである。図２のウォブル信号のbit変調データＮＰＷ(＝“０”)、ＩＰＷ(＝“１”)で構成されている。
【００１６】
物理アドレスデータは、物理アドレスフィールド（Address Field）内に格納されるもので、セグメント情報（Segment Information）３ビット、物理セグメントブロックアドレス（Physical Segment Block Address）１８ビット、物理セグメント順位（Physical Segment Order）３ビット、エラー訂正コード（CRC）９ビットの計３３ビットである。
【００１７】
この計３３ビットの物理アドレスデータは、３ビットずつに分割され、各ＷＤＵ(Wobble Data Unit)に分配され、変調処理によって光ディスク記録媒体に埋め込まれている。
【００１８】
よって物理アドレスデータ３３ビットは、１１個のＷＤＵで構成されている。各ＷＤＵの物理アドレスデータ各１ビットは、４ウォブルで対応されている。したがって３ビットは、４×３＝１２ウォブルで表される。ＷＤＵには、プライマリー（Primary）タイプと、セカンダリー（Secondary）タイプがある。
【００１９】
プライマリーセグメントタイプの場合は、物理アドレスデータ３ビット情報の前にある各ＷＤＵの先頭４ウォブルはＩＰＷで構成され、各ＷＤＵの先頭識別が容易になる構成がとられている。そして、１ＷＤＵは８４ウォブルで構成されているため、物理アドレスデータ埋め込み以降の６８ウォブルはＮＰＷと規定されている。
【００２０】
これに対して、セカンダリーセグメントタイプの場合は、ＷＤＵ先頭識別、各物理アドレスデータ３ビットの構成はプライマリーセグメントタイプと同様であるが、ＷＤＵ先頭識別の前に４２ウォブルのＮＰＷが配置され、物理アドレスデータ埋め込み以降の２６ウォブルはＮＰＷと規定されている。上記のプライマリーとセカンダリーの識別は、セグメント情報（Segment Information）３ビットの内容で識別できる。
【００２１】
物理アドレスデータはＷＤＵの１７組で構成されたＷＡＰ(Wobble Address Periodic position)と呼ばれる集合体で１アドレスが構成されている。１ＷＡＰは、先頭ＷＤＵにＳＹＮＣ(同期信号)が配置され、次に物理アドレス１１個のＷＤＵ、後方５個のＷＤＵに無変調ユニット（Unity field）が配置されている。
【００２２】
図４は、トラック間でのウォブル変調領域が隣接してビートなどによるノイズの影響を低減させるために、プライマリーセグメント／セカンダリーセグメントの２種類のＷＤＵ構成(Physical Segment Type)が用意されている例を示している。
【００２３】
そのＷＤＵ構成は、図３で示したSegment Informationのタイプbitで識別可能であり、Type＝０の場合Type０(プライマリーセグメントタイプ)、Type＝１の場合Type１(セカンダリーセグメントタイプ)またはType２(プライマリーセグメントタイプ＋セカンダリーセグメントタイプ)としている。
【００２４】
図５は、本発明に係る物理アドレス検出装置５の内部構成を示すブロック図である。この装置は、大きく分けると、ウォブルＰＬＬ回路２０、ＳＹＮＣ検出回路２１、物理アドレス先頭検出回路２２、物理アドレス保持回路２３、ＳＹＮＣ検出フラグ回路２４、及びカウンタ回路２５に分けられる。
【００２５】
ウォブルＰＬＬ回路２０では、ウォブル入力信号と基準ＳＩＮ波、及び基準ＣＯＳ波の積分演算が行われる。ウォブルＰＬＬ回路２０は、ウォブル信号をアナログデジタル変換するＡ／Ｄ変換器２０１において、デジタル化している。デジタル化するためのクロックは、電圧制御発振器（ＶＣＯ）２０２からのクロックが用いられる。デジタル化されたウォブル信号は、積分器２０３に入力されて、ビット情報（“１”又は“０”）に変換される。このときの入力ウォブル信号と、検出信号（ＳＩＮ同期位相信号と称する）関係は、後で示す図８（ａ），図８（ｂ）のようになる。積分器２０３の出力は、基準ＳＩＮ波との積分結果であるＳＩＮ同期位相検出データがＳＹＮＣ検出回路２１に入力され、基準ＣＯＳ波との積分結果であるＣＯＳ同期位相検出データがデジタルアナログ（Ｄ／Ａ）変換器２０４に入力されてアナログ化される。アナログ化されたアナログ信号は、ＶＣＯ２０２の制御信号として用いられる。これにより、ＰＬＬ回路２０は、ウォブル信号のＳＩＮ位相にロックするように設定されている。
【００２６】
ＳＩＮ同期位相信号は、ＳＹＮＣ検出回路２１、物理アドレス先頭検出回路２２、物理アドレス保持回路２３に入力される。ＳＩＮ同期位相信号は、ＩＰＷ部分は“＋”値、ＮＰＷは“−”値で出力される。その信号からＳＹＮＣパターンの検出、及び物理アドレスパターンの検出が行われる。
【００２７】
ＳＹＮＣ検出回路２１は、図３に示したセグメントの先頭にある同期信号（ＳＹＮＣ）を検出する回路である。物理アドレス先頭検出回路２２は、各ＷＤＵ内に記載されている物理アドレスを形成するデータの先頭位置を検出する回路である。物理アドレス保持回路２３は、検出した物理アドレスを保持する回路である。カウンタ部２５は、Ｗｏｂｂｌｅ ＰＬＬ部２０で生成されたクロックで、図３に示す規格に沿ってＷＤＵ、ＷＡＰ(Physical Segment)、Data Segment単位のタイミング生成を行っている。
【００２８】
物理アドレス領域先頭検出部２２及び物理アドレス保持部２３では、所定の物理アドレス位置(図３のＷＡＰ“１”〜“１１”番目)の各８４ウォブル中に、物理アドレス領域先頭パターン特有の部分であるＩＰＷ ４ウォブル部分を正しく検出し、以後に続く物理アドレスを検出する回路である。物理アドレス先頭検出は、ＳＹＮＣと同様、信号の状態検出(符号一致)とエッジ検出値が閾値以上だった場合に検出できる。物理アドレス先頭(ＩＰＷ４ウォブル)に続く各４ウォブルを加算演算し、その符号を保持することにより物理アドレスを検出する。
【００２９】
図６は、検出精度の高いＳＹＮＣ検出回路２１の構成例を示し、図７は、基本的なＳＹＮＣ検出回路の例を示している。図６において、ＳＩＮ同期位相信号は、シフトレジスタ２１１でシフト処理される。処理結果は、パターン演算部２１２に入力され、シフト処理した信号の符号変化点(ＩＰＷ→ＮＰＷ／ＮＰＷ→ＩＰＷ：エッジ検出)の差分演算、及びエッジ変化点以外での信号の符号比較による状態の安定(符号一致)検出を行う。
【００３０】
比較判定部２１３では、エッジ検出値が閾値以上であり、かつ状態がＳＹＮＣと一致していることを検出できた場合には、同期信号検出としての信号が出力される。この信号は、ゲート／カウンタ補正値生成部（例えばアンド回路）２１４に入力される。このゲート／カウンタ補正値生成部２１４は、比較判定部２１３からの検出信号が入力されたときに、ゲート信号生成回路２１ｄから窓信号が与えられているときは、ＳＹＮＣ出力を得る。
【００３１】
ウォブル４波加算回路２１ａは、ＳＹＮＣ及び物理アドレスの信号で共通の最大変化単位であるウォブル４波加算を行う。ウォブル４波とは、ＳＹＮＣ及び物理アドレスの信号で共通の変調符号ビットクロック単位であり、４波単位で状態が変化するもので、最も検出効率の高い単位である。
【００３２】
ウォブル４単位で加算すると、そのうちの１波がノイズなどにより変質されても、４波分の加算結果では、残り３波の正常結果が優勢となり誤検出が防止される。なお４波分の内容が例えば“＋＋−−”のようにプラスとマイナスが同数となる場合は、４波加算結果不定となるが、この部分は、ウォブル波形がＩＰＷからＮＰＷ、あるいはＮＰＷからＩＰＷに変化する変化点であることが多く、その他の部分では発生確率は低い。
【００３３】
上記の４波加算結果を２値化回路２１ｂにより２値化し、カウンタ２１ｃによりカウントアップする。ＳＹＮＣ領域の前には、図３で示したように無変調領域（Unity Field）がある。これにより、ＳＹＮＣ領域を予測することができ、カウンタ値によりゲート信号生成部２１ｄによりゲート信号（窓信号）を生成することができる。
【００３４】
図７には、基本的なＳＹＮＣ検出回路２１の内部を示している。このＳＹＮＣ検出回路２１は、所定のＳＹＮＣパターン位置(図３のＷＡＰの“０”番目)の８４ウォブル信号の内、ＳＹＮＣパターン特有の部分である（ＩＰＷの６ウォブル＋ＮＰＷの４ウォブル＋ＩＰＷの６ウォブル）部分を検出する回路である。
【００３５】
図７に示すように、最初にＳＩＮ同期位相信号をシフトレジスタ２１１でシフト処理し、パターン演算部２１２に入力する。パターン演算部２１２では、シフト処理した信号の符号変化点(ＩＰＷ→ＮＰＷ／ＮＰＷ→ＩＰＷ：エッジ検出)の差分演算、及びエッジ変化点以外での信号の符号比較による状態の安定(符号一致)検出を行う。
【００３６】
比較判定部２１３では、エッジ検出値が閾値以上であり、かつ状態がＳＹＮＣと一致していることを検出できた場合には、同期信号検出としての信号が出力される。この信号は、ゲート／カウンタ補正値生成部２１４に入力される。このゲート／カウンタ補正値生成部２１４は、比較判定部２１３からの検出信号が入力されたときに、ＳＹＮＣ窓生成部２１５から窓信号が与えられているときは、ＳＹＮＣ出力を得る。
【００３７】
ＳＩＮ同期位相信号は、ＷＤＵ半周期カウンタ２１６にも入力されている。ＷＤＵ半周期カウンタ２１６は、ウォブルクロック（ＳＩＮ同期位相信号）をカウントアップし、ＷＤＵの半周期を繰り返し周期としてクロックのカウントを行うカウンタである。ＷＤＵは、８４のウォブルで構成されているので、８４カウント値がＷＤＵの１周期（第１の周期）であり、ウォブルクロックの０−４１までを１周期とすると、半周期カウンタを実現できる。
【００３８】
ＷＤＵタイプ判別カウンタ２１７は、半周期カウンタ２１６の桁上がりをカウントするカウンタである。タイプ判別カウンタ２１７の出力は、１ビットであり、半周期カウンタ２１７の桁上がりがあるたびに、「１」と「０」を交互に出力する。この結果、タイプ判定カウンタ３０２の出力は、ＷＤＵを半周期ごとに「１」と「０」で分別していることになる。またタイプ判定カウンタ３０２の出力の「１」から「１」の間隔は、ＷＤＵの１周期を表すことになる。
【００３９】
次段のセグメント周期カウンタ２１８は、ＷＤＵ毎にカウントアップされるカウンタであり、１ＷＡＰの周期（第２の周期）を繰り返し周期とする。図３でも示したように、プライマリーセグメントタイプ、セカンダリーセグメントタイプのいずれも１７組のＷＤＵから構成されている。セグメント周期カウンタ２１８は、１７組のＷＤＵを０−１６まで繰り返しカウントしている。
【００４０】
ＷＤＵ半周期カウンタ２１６、ＷＤＵタイプ判別カウンタ２１７、セグメント周期カウンタ２１８は、セグメントの先頭を基準としてカウントアップされる。したがって、これらの３種のカウンタ出力により、セグメントに含まれる物理アドレスの各ビット位置を特定することが可能である。
【００４１】
ＳＹＮＣ窓生成部２１５には、ＷＤＵ半周期カウンタ２１６、ＷＤＵタイプ判別カウンタ２１７、セグメント周期カウンタ２１８及びＳＹＮＣ出力が入力されている。ＳＹＮＣ窓生成部２１５は、入力された信号の論理判定を行い、ＳＹＮＣ出力の位置で、ゲート信号を生成して、ゲート／カウンタ補正値生成部２１４に与えている。
【００４２】
一度ＳＹＮＣ検出されるとＳＹＮＣ検出フラグをセットし、以降のＳＹＮＣ検出はフライホイールカウンタに基づき、ＳＹＮＣ検出を行う。
【００４３】
その際ＳＹＮＣ検出による各種カウンタのカウンタ補正が必要な場合には、カウンタ補正を行う。
【００４４】
上記したＷＤＵ半周期カウンタ２１６及びＷＤＵタイプ判別カウンタ２１７は、１ＷＤＵ周期(８４ウォブル)の半分(４２ウォブル)をＷＤＵ半周期カウンタ２１６でカウントし、桁上がりをＷＤＵタイプ判別カウンタ２１７でカウントすることにより、１ＷＤＵ周期(８４ウォブル)のカウンタとしている。これはＷＤＵタイプが２種類(プライマリー／セカンダリーセグメント)あるため、ＷＤＵタイプをＷＤＵタイプ判別カウンタ２１７に割り当てることにより、カウンタ補正する場合、ＷＤＵタイプ判別カウンタ２１７の１bitのみ補正することになるため、ＷＤＵ周期カウンタ(１ＷＤＵ周期)に比べ、カウンタ分割(ＷＤＵ半周期カウンタ２１６及びＷＤＵタイプ判別カウンタ２１７に分割)したことは非常に有効である。
【００４５】
ＷＤＵタイプの割り当ては、ＷＤＵタイプ判別カウンタの出力＝“０”の時プライマリーセグメントタイプ、ＷＤＵタイプ判別カウンタの出力＝“１”のときセカンダリーセグメントタイプとする。セグメント周期カウンタ２１８は、１ＷＡＰ周期をカウントするカウンタで、ＷＤＵタイプ判別カウンタ２１７の桁上がりをカウント(１７ＷＤＵ)している。
【００４６】
図８（ａ）−図８（ｇ）は、上記したＳＹＮＣ検出回路２１内の各部の動作タイミングを示している。図８（ａ）は、ウォブル信号であり、ＳＹＮＣ部分とその前後を示している。図８（ｂ）は、ＳＩＮ同期位相信号であり、図８（ｃ）は、同期信号（ＳＹＮＣ）である。図８（ｄ）、図８（ｅ）、図８（ｆ），図８（ｇ）は、それぞれＷＤＵ半周期カウンタ２１６の出力、ＷＤＵタイプ判別カウンタ２１７の出力、セグメント周期カウンタ２１８の出力、さらにＳＹＮＣ検出フラグを示している。
【００４７】
ここでＳＹＮＣ検出フラグは、本装置では特徴的な要素に１つであり、先のＳＹＮＣ検出フラグ回路２４から出力されている。
【００４８】
上記の物理アドレス領域先頭検出部２２及び物理アドレス保持部２３では、所定の物理アドレス位置(図３のＷＡＰ“１”〜“１１”番目)の各８４ウォブル中に、物理アドレス領域先頭パターン特有の部分であるＩＰＷ ４ウォブル部分を正しく検出し、以後に続く物理アドレスを検出する回路である。
【００４９】
物理アドレス先頭検出は、ＳＹＮＣと同様、信号の状態検出(符号一致)とエッジ検出値が閾値以上だった場合に検出できたとする。物理アドレス先頭(ＩＰＷ４ウォブル)に続く各４ウォブルを加算演算し、その符号を保持することにより物理アドレスを検出する。
【００５０】
図９には、物理アドレス先頭検出部２２の一構成例を示している。この物理アドレス先頭検出部２２には、ＳＹＮＣ検出フラグ回路２４からのＳＹＮＣ検出フラグも与えられている。この回路２４は、ＳＹＮＣ検出が行われたことを示すフラグ（アクティブ＝１）を出力する回路である。
【００５１】
ＳＩＮ同期位相信号は、ウォブル４波加算回路２２１に入力される。ウォブル４波加算回路２２１は、ＳＹＮＣ及び物理アドレスの信号で共通の最大変化単位であるウォブル４波加算を行う。上記の４波加算結果を２値化回路２２２により２値化し、カウンタ２２３によりカウントアップする。これにより、所定の物理アドレス位置(図３のＷＡＰ“１”〜“１１”番目)の各８４ウォブル中に、物理アドレス領域先頭パターン特有の部分であるＩＰＷ ４ウォブル部分のタイミングを正しく検出する。このカウンタ２２３のカウンタ値によりゲート信号生成部２２４は、アドレス情報の先頭に対応するゲート信号（窓信号）を生成することができる。
【００５２】
一方、ＳＩＮ同期位相信号は、シフトレジスタ２２５でシフト処理される。処理結果は、パターン演算部２２６に入力され、シフト処理した信号の符号変化点(ＩＰＷ→ＮＰＷ／ＮＰＷ→ＩＰＷ：エッジ検出)の差分演算、及びエッジ変化点以外での信号の符号比較による状態の安定(符号一致)検出を行う。
【００５３】
比較判定部２２７では、エッジ検出値が閾値以上であり、かつ状態がアドレス情報の先頭と一致していることを検出できた場合（例えばＳＩＮ同期位相信号が、“＋＋＋＋”と判定できた場合）には、アドレス情報先頭の検出信号が出力される。勿論この場合は、同期検出フラグがセットされているときである。この検出信号は、アンド回路２２８に入力される。このアンド回路２２８は、比較判定部２１３からの検出信号が入力されたときに、ゲート信号生成回路２２４から窓信号が与えられているときに、アドレス情報先頭検出信号を出力し、物理アドレス保持回路２３に与える。
【００５４】
物理アドレス保持回路２３は、アドレス情報先頭検出信号の後に続くＳＩＮ同期位相信号を物理アドレス情報として取り込み保持する。このようにして、各ＷＤＵから、３ビットずつ物理アドレス情報が取得され、１つのセグメントの物理アドレス情報を構成することができる。
【００５５】
図１０には、ＳＹＮＣ検出フラグ回路２４の構成を具体的に示している。この回路は、ＳＹＮＣ検出フラグカウンタ２４１、ＳＹＮＣ検出／未検出カウンタ２４２、ＳＹＮＣ連続検出／連続未検出カウンタ２４３、ゲート回路２４４、同期検出フラグ発生部としてのフリップフロップ回路２４５を有する。ＳＹＮＣ信号（図６あるいは図７の回路の出力）がフリップフロップ回路２４５の一方端に入力すると、ＳＹＮＣ検出フラグがセットされる。なおＳＹＮＣ信号は、ＳＹＮＣ検出結果に基づいて、フライホイールカウンタを使用して、１ＷＡＰ(１セグメント)単位で生成してもよい。
【００５６】
ＳＹＮＣ検出フラグカウンタ２４１は、ＳＹＮＣ検出フラグの出力状態を監視する。ＳＹＮＣ検出／未検出カウンタ２４２は、ＳＹＮＣ検出回数、ＳＹＮＣ未検出回数を監視する。ＳＹＮＣ連続検出／連続未検出カウンタ２４３は、ＳＹＮＣ連続検出回数、ＳＹＮＣ連続未検出回数を監視する。ゲート回路２４４は、各カウンタ出力を論理判定するものであり、その判定結果によっては、フリップフロップ回路２４５をリセットする。また、モードセレクタ信号によって、ＳＹＮＣ検出フラグのリセット条件を切り換え制御することが可能である。上記の回路２４１−２４４は、カウンタ及び論理判定部を構成している。
【００５７】
ＳＹＮＣ検出フラグのセットはＳＹＮＣ検出毎とし、ＳＹＮＣ検出フラグをリセットするタイミングが、条件に応じて各種ある。以下その詳細について、図１１−図１５を参照して説明する。
【００５８】
図８に示したタイミングチャートは、最初のＳＹＮＣ検出によるＳＹＮＣ検出フラグのセットのタイミングである。最初のＳＹＮＣ検出により、ＷＤＵタイプ判定カウンタ２１７は、０クリアされる。ＷＤＵ周期カウンタ２１６、セグメント周期カウンタ２１８は、本来のＳＹＮＣ検出位置に所定値が補正される。このときはまたＳＹＮＣ検出フラグがセットされる。
【００５９】
図１１は、図８で説明した最初のＳＹＮＣ検出でセットされたＳＹＮＣ検出フラグであるが、次のセグメントでＳＹＮＣ未検出となり、１度のＳＹＮＣ未検出でＳＹＮＣ検出フラグをリセットするタイミングである。この場合は例えば装置の電源投入時や、ＳＹＮＣ検出フラグがリセットされた後のＳＹＮＣ検出による再同期時などに有効である。電源投入後は、一定期間、モードセレクタにより、ゲート回路２４４の論理判定内容が、図１１のように判断するように設定してもよい。
【００６０】
最初のＳＹＮＣ検出はフライホイールカウンタに依らずＳＹＮＣパターン検出のみとなるため、信頼性の問題から次のセグメントでＳＹＮＣ未検出だった場合は、ＳＹＮＣ検出フラグをリセットしている。図では、ＳＹＮＣ検出カウンタ＝“０”、ＳＹＮＣ未検出カウンタ＝“１”となり、最初のＳＹＮＣ検出後の次のＳＹＮＣを未検出と判断し、ＳＹＮＣ検出フラグをリセットしている。ＳＹＮＣの検出、未検出はカウンタを使用して行っているが、ＳＹＮＣ検出／未検出の連続回数はどのような方法でもかまわない。
【００６１】
なお図示しないが、ＳＹＮＣ後に書かれた物理アドレスを検出し、ＣＲＣチェックで物理アドレスが正しい場合は、次のセグメントでＳＹＮＣ未検出だとしても、図３に示す物理規格の周期を満たしていると判断し、ＳＹＮＣ検出フラグをリセットしないようにしてもよい。この場合もモードセレクタにより、ゲート回路２４４のＳＹＮＣ検出フラグのリセット条件を制御することができる。
【００６２】
図１２は、少なくとも２度以上連続でＳＹＮＣ検出された場合で、その後ＳＹＮＣが連続回未検出だった場合（例えば３セグメント分未検出だった場合）にＳＹＮＣ検出フラグをリセットするタイミングである。少なくても２度以上連続でＳＹＮＣ検出された場合は、フライホイールカウンタを使用したＳＹＮＣパターン検出に依るＳＹＮＣ検出であり、図３に示す１ＷＡＰ(１セグメント)単位を満たしていることから信頼性が高い。このため、少なくても２度以上連続でＳＹＮＣ検出された場合は、すぐにＳＹＮＣ検出フラグをリセットすることなく、以降複数のセグメント期間連続して、ＳＹＮＣ未検出の場合にＳＹＮＣ検出フラグをリセットすることとする。
【００６３】
図１２では、ＳＹＮＣ検出カウンタ＝“２”(連続検出を見ているため、“２”以降は値を保持）、ＳＹＮＣ未検出カウンタ＝“３”となったとき、少なくとも２連続ＳＹＮＣ検出後の３連続ＳＹＮＣ未検出と判断し、ＳＹＮＣ検出フラグをリセットしている。３回連続ＳＹＮＣ未検出の場合にＳＹＮＣ検出フラグをリセットしているが、連続未検出回数は任意である。ＳＹＮＣ検出できなかった場合(３連続未満のＳＹＮＣ未検出時)にも、物理アドレス検出時の物理アドレス先頭検出が可能となり、より信頼性の高い物理アドレスが検出できるため非常に有効となる。
【００６４】
なお図示しないが、ＳＹＮＣ後に書かれた物理アドレスを検出し、ＣＲＣチェックで物理アドレスが正しい場合、または前後の物理アドレスからアドレスに連続(＋１インクリメント)性があった場合、次のセグメントでＳＹＮＣ未検出だとしても、図３に示す物理規格の周期を満たしていると判断し、３連続ＳＹＮＣ未検出だったとしてもＳＹＮＣ検出フラグをリセットしないこととする。
【００６５】
図１３は、ＳＹＮＣ検出フラグの拡張モードとして、より信頼性の高い状態が続く場合に図１２のＳＹＮＣ未検出時のフラグのリセットの方法よりも、よりＳＹＮＣ検出フラグをリセットしないような動作モードにしたタイミングである。検出したＳＹＮＣの少なくても連続ｄ回以上連続(ｄ：任意、図では７回連続)してＳＹＮＣ検出フラグがセットされている場合、図３に示す１ＷＡＰ(１セグメント)単位を満たしていることからより信頼性が高い。この場合、図１２に示すような３連続ＳＹＮＣ未検出だけではＳＹＮＣ検出フラグをリセットしない拡張モードとしてもよい。
【００６６】
図１３では、ＳＹＮＣ検出フラグカウンタ２４１（＝“７”）が、ＳＹＮＣの７回連続分してＳＹＮＣ検出フラグがセットされていることを検出した様子を示している。このときは、拡張モードイネーブル信号がハイレベルとなり拡張モードに入ることができる。このモードでは、図１１、図１２のように１回のＳＹＮＣ未検出、あるいは３回のＳＹＮＣ連続未検出程度では、ＳＹＮＣ検出フラグをリセットしないこととする。
【００６７】
次に、ＳＹＮＣ検出フラグがリセットされる場合の詳細を、図１４、図１５で説明する。図１４は、拡張モードになっている状態から示している。拡張モードでは、過去ｃ回（ｃは整数）のＳＹＮＣ検出状況により、より信頼性の高いＳＹＮＣ連続検出があったかどうかを確認している。
【００６８】
ここで、さらに拡張モードになった状態でｅ回（ｅ：任意）ＳＹＮＣ連続検出（連続した状態を検出）がなかった場合にＳＹＮＣ検出フラグをリセットしている。図１４の例では、過去参照回数をｃ＝“７”に設定しており、連続ＳＹＮＣ検出回数をｅ＝“２”に設定している。つまり、２回連続してＳＹＮＣ検出がないと、ＳＹＮＣ連続未検出カウンタがカウントアップする。
【００６９】
拡張モードイネーブル状態において、ＳＹＮＣ連続検出カウンタは、０，１，０，１，の繰り返し状態である（２回連続検出がない）。これは、ＳＹＮＣは、３連続有り→２連続無し→１回有り→１回無し→１回有り→１回無し→１回有り→１回無し→２回連続、と変遷している。つまり２連続してＳＹＮＣ検出していない状態が、７周期（７回）続いている。このような場合は、拡張モードがディセーブルされ、ＳＹＮＣ検出フラグがリセットされる。
【００７０】
図１５は、図１４と図１２の条件を同時に満たした場合の例を示している。過去ｃ回の間にＳＹＮＣ連続検出がなく、かつＳＹＮＣが連続未検出だった場合に、ＳＹＮＣ検出フラグをリセットする様子を示している。図では、図１３と同様、過去参照回数を“７”に設定しており、ＳＹＮＣ連続未検出カウンタ＝“７”になり、連続未検出回数を“３”に設定しており、ＳＹＮＣ未検出カウンタ＝“３”が同時に成立した段階で、ＳＹＮＣ検出フラグをリセットしている。
【００７１】
上記したように、この発明は基本的には、図３に示すように、情報記録媒体の記録トラックをウォブル変調して盛り込まれた情報のフォーマットが、前記記録トラックを区分する物理セグメント、前記物理セグメントの先頭に含まれる同期信号用のウォブルデータユニット（ＷＤＵ）、前記物理セグメント後半に含まれる無変調部用のウォブルデータユニット（ＷＤＵ）、前記物理セグメントの中間領域に含まれる物理アドレス用のウォブルデータユニット（ＷＤＵ）を少なくとも有したフォーマットを取り扱う。そして図１０に示すように、同期検出回路２１で、記録トラックから再生したウォブル信号が入力され、前記ウォブル信号から前記同期信号を検出する。同期検出フラグ発生部２４５は、同期検出回路２１が前記同期信号を検出したとき、第１のレベルの同期検出フラグを発生する。そして、カウンタ及び論理判定部２４１−２４４が、第１レベルの同期検出フラグが出力され持続している期間であって、前記同期信号の未検出回数が所定の条件であるときは、前記同期検出フラグを第２レベルにリセットする。また図１１に示すように、カウンタ及び論理判定部（２４１−２４４）は、同期信号が検出されたことをカウントする検出カウンタ、前記同期信号が検出されなかったことをカウントする未検出カウンタを含み、最初の同期検出タイミングで前記検出カウンタが１、前記未検出カウンタが０、次の同期検出タイミングで、前記検出カウンタが１、前記未検出カウンタが０のとき、前記同期検出フラグをリセットするようにしている。さらにまた図１２に示すように、カウンタ及び論理判定部２４１−２４４は、同期信号が検出されたことをカウントする検出カウンタ、前記同期信号が検出されなかったことをカウントする未検出カウンタを含み、検出カウンタが所定数ａ（ａは整数）カウントした場合、前記未検出カウンタが所定数ｂ（ｂは整数）となったときに、前記同期検出フラグをリセットすることができる。
【００７２】
さらに図１３、図１４に示すように、カウンタ及び論理判定部（２４１−２４４）は、前記同期信号が検出されたことをカウントする検出カウンタ、前記同期信号が検出されなかったことをカウントする未検出カウンタ、さらに、前記同期信号の連続検出をカウントする連続検出カウンタ、及び前記同期信号の連続未検出をカウントする連続未検出カウンタ、前記同期信号が検出されたときにセットされる同期検出フラグをカウントする同期検出フラグカウンタを含み、
前記同期検出フラグカウンタが所定値ｄ（ｄは整数）以上となっているときは、前記未検出カウンタが所定値ｂ（ｂは整数）となっても、前記同期検出フラグ状態を維持し、前記同期信号の連続未検出カウンタのカウント数が所定値ｃ（ｃは整数）となったときに、前記同期検出フラグをリセットする。
【００７３】
さらにまた図１５に示すように、前記カウンタ及び論理判定部（２４１−２４４）は、前記同期信号が検出されたことをカウントする検出カウンタ、前記同期信号が検出されなかったことをカウントする未検出カウンタ、さらに、前記同期信号の連続検出をカウントする連続検出カウンタ、及び前記同期信号の連続未検出をカウントする連続未検出カウンタと、前記同期信号が検出されたときにセットされる同期検出フラグをカウントする同期検出フラグカウンタを含み、前記同期検出フラグカウンタが所定値ｄ（ｄは整数）以上となっているときは、前記未検出カウンタが所定値ｂ（ｂは整数）となっても、前記同期検出フラグ状態を維持し、前記同期信号の連続未検出カウンタのカウント数が所定値ｃ（ｃは整数）となり、かつ前記未検出カウンタのカウント数が所定値ｂ（ｂは整数）となり、両方を同時に満たしたときに、前記同期検出フラグをリセットする。
【００７４】
上記したＳＹＮＣ検出フラグを使用した場合、以下の効果がある。上記のように２度目以降のＳＹＮＣ検出で、ＳＹＮＣ検出の精度が向上する。特にＨＤ  ＤＶＤ−Ｒでは隣接トラックの影響を受けやすい構造となっており、ウォブル信号のビート対策が必要であるが、対策をするためＳＹＮＣ、物理アドレス位置をあらかじめわかっている必要がある。ここで、ＳＹＮＣ検出フラグがセットされている場合、ＳＹＮＣパターンとフライホイールカウンタ位置が合っているため、対策をとりやすくなる。
【００７５】
つまり、ＨＤ  ＤＶＤ−Ｒでは物理アドレス領域が１１ＷＤＵあるため、ＳＹＮＣ検出フラグがセットされている場合のフライホイールカウンタによるＷＤＵ位置確認が容易である。またＨＤ  ＤＶＤ−ＲではＳＹＮＣ、物理アドレスにタイプが存在するため、ＳＹＮＣ検出フラグがセットされている場合のフライホイールカウンタによる事前のタイプ判別が可能となる。通常のタイプ判別は、物理アドレス確定後のタイプbitによる確認である。しかし、ＳＹＮＣ検出フラグがセットされているということは、物理アドレスの信頼性が高く、物理アドレス確定後でなくても、直接タイプ判別を行ってもかまわない。
【００７６】
ウォブルＰＬＬのロック判定では、ＳＹＮＣ検出フラグがセットされている場合のフライホイールカウンタにより、事前に符号部分(ＩＰＷ)を除いたＰＬＬロック判定が可能となり、ＰＬＬロック判断を早く行うことが可能。
【００７７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７８】
【図１】この発明が適用された情報記録再生装置の全体構成を示す説明図である。
【図２】光ディスクのアドレッシング方法として、記録トラックに対してウォブル変調を施した状態を示す説明図である。
【図３】ＨＤ  ＤＶＤ−Ｒの物理アドレスフォーマットの説明図である。
【図４】プライマリーセグメント／セカンダリーセグメントにセグメントタイプの２種類のＷＤＵ構成(Physical Segment Type)が用意されている例を示す図である。
【図５】本発明に係る物理アドレス検出装置５の内部構成を示すブロック図である。
【図６】ＳＹＮＣ検出回路の原理的構成例を示す図である。
【図７】ＳＹＮＣ検出回路の構成をさらに具体化した図である。
【図８】図８（ａ）−図８（ｇ）は、ＳＹＮＣ検出回路内の各部の動作タイミングを示す説明図である。
【図９】物理アドレス先頭検出部の一構成例を示す図である。
【図１０】ＳＹＮＣ検出フラグ回路の構成を具体的に示す図である。
【図１１】本発明に係る装置の一動作例を示すタイミングチャートである。
【図１２】本発明に係る装置の他の動作例を示すタイミングチャートである。
【図１３】本発明に係る装置のまた他の動作例を示すタイミングチャートである。
【図１４】本発明に係る装置のさらに他の動作例を示すタイミングチャートである。
【図１５】本発明に係る装置のさらにまた他の動作例を示すタイミングチャートである。
【符号の説明】
【００７９】
２…駆動部、３…光ヘッド装置、４…ＲＦ増幅器、５…物理アドレス検出装置、６…データ読み取り・書き込み処理部、７…信号処理部、８…システム制御部、９…サーボコントローラ、１０…キャリッジ、２０…ウォブルＰＬＬ回路、２１…ＳＹＮＣ検出回路、２２…物理アドレス先頭検出回路、２３…物理アドレス保持回路、２４…ＳＹＮＣ検出フラグ回路、２５…カウンタ回路、２４１…ＳＹＮＣ検出フラグカウンタ、２４２…ＳＹＮＣ検出／未検出カウンタ、２４３…ＳＹＮＣ連続検出／連続未検出カウンタ、２４４…ゲート回路、２４５…フリップフロップ回路。
【図１】
2007149255.tif 000003
【図２】
2007149255.tif 000004
【図３】
2007149255.tif 000005
【図４】
2007149255.tif 000006
【図５】
2007149255.tif 000007
【図６】
2007149255.tif 000008
【図７】
2007149255.tif 000009
【図８】
2007149255.tif 000010
【図９】
2007149255.tif 000011
【図１０】
2007149255.tif 000012
【図１１】
2007149255.tif 000013
【図１２】
2007149255.tif 000014
【図１３】
2007149255.tif 000015
【図１４】
2007149255.tif 000016
【図１５】
2007149255.tif 000017